(57)【要約】【課題】  コスト上昇を抑制することが可能な表示装置を提供する。【解決手段】  情報表示体１０の視認者Ｅ側とは反対側に配置される回路基板２０と、情報表示体１０を包囲するように設けられる周壁部３１を有するケース部材３０と、情報表示体１０の表示領域１１を露出させるための開口部５１ａを有する前面側筐体５０とを備えた表示装置において、前面側筐体５０は、周壁部３１に形成された係合突起３３ａに係合可能に設けられる被係合部５２ａを有する側壁部５２を備え、この側壁部５２は、側壁部５２の視認者Ｅ側とは反対側に位置し、回路基板２０を加締め固定可能とする加締め部５２ｃを備えている。【選択図】図３
2017134193.tif 000002
【特許請求の範囲】
【請求項１】
情報表示体と、
前記情報表示体の視認者側とは反対側に配置される回路基板と、
前記情報表示体を包囲するように設けられる周壁部を有するケース部材と、
前記情報表示体の表示領域を露出させるための開口部を有する前面側筐体とを備えた表示装置において、
前記前面側筐体は、前記周壁部に形成された係合突起に係合可能に設けられる被係合部を有する側壁部を備え、
前記側壁部は、前記側壁部の視認者側とは反対側に位置し、前記回路基板を加締め固定可能とする加締め部を備えていることを特徴とする表示装置。
【請求項２】
前記加締め部は、前記被係合部の直下に設けられていることを特徴とする請求項１記載の表示装置。
【発明の詳細な説明】
【技術分野】
【０００１】
本発明は、例えば自動車や自動２輪車等の車両に搭載される表示装置に関するものである。
【背景技術】
【０００２】
従来より、この種の表示装置にあっては、例えば下記特許文献１に記載されているものが知られている。この特許文献１に記載の表示装置は、所定情報を表示する液晶表示パネル（情報表示体）と、この液晶表示パネルの背後側（視認者側とは反対側）に配置される硬質の回路基板と、液晶表示パネルを包囲するように設けられる（液晶表示パネルと回路基板との間に位置する）周壁部を有する樹脂ケース（ケース部材）と、液晶表示パネルの表示領域を露出させるための開口部を有する導電性の前面側筐体とを備えている。
【０００３】
ここで、回路基板と樹脂ケースと前面側筐体との三者に着目すると、回路基板と樹脂ケースとがネジを用いてネジ固定されるとともに、樹脂ケースと前面側筐体とがネジを用いてネジ固定されることで、前記三者が固定される構成となっている。
【先行技術文献】
【特許文献】
【０００４】
【特許文献１】特開２００９−２８２４３４号公報
【発明の概要】
【発明が解決しようとする課題】
【０００５】
しかしながら、特許文献１に記載の表示装置の場合、前記三者を固定するにあたり、２つのネジが必要である。この結果、２つのネジを用いる分だけ表示装置を構成する部品点数が多くなるため、部品費が嵩み、コストアップの原因となっていた。
そこで本発明は、前述の課題に対して対処するため、コスト上昇を抑制することが可能な表示装置の提供を目的とするものである。
【課題を解決するための手段】
【０００６】
本発明は、情報表示体と、前記情報表示体の視認者側とは反対側に配置される回路基板と、前記情報表示体を包囲するように設けられる周壁部を有するケース部材と、前記情報表示体の表示領域を露出させるための開口部を有する前面側筐体とを備えた表示装置において、前記前面側筐体は、前記周壁部に形成された係合突起に係合可能に設けられる被係合部を有する側壁部を備え、前記側壁部は、前記側壁部の視認者側とは反対側に位置し、前記回路基板を加締め固定可能とする加締め部を備えていることを特徴とする。
【０００７】
また本発明は、前記加締め部は、前記被係合部の直下に設けられていることを特徴とする。
【発明の効果】
【０００８】
本発明によれば、初期の目的を達成でき、コスト上昇を抑制することが可能な表示装置を提供できる。
【図面の簡単な説明】
【０００９】
【図１】本発明の実施形態による表示装置を構成する各部を示す斜視図。
【図２】同実施形態による表示装置の要部断面図。
【図３】同実施形態による組み付け後の表示装置の要部斜視図。
【図４】同実施形態による組み付け後の表示装置の背面図。
【発明を実施するための形態】
【００１０】
以下、図１〜図４に基づいて、本発明の表示装置を車両に搭載される車両用計器に適用した場合を例に挙げて説明する。
【００１１】
図１、図２において、本実施形態による表示装置としての車両用計器は、所定情報（各種車両情報）を表示する情報表示体１０と、この情報表示体１０の背後側（視認者Ｅ側とは反対側）に配置される回路基板２０と、情報表示体１０を包囲するように設けられる周壁部３１を有するケース部材３０と、回路基板２０上に実装された光源２１からの照明光を情報表示体１０に導くための導光部材４０と、情報表示体１０の表示領域１１を露出させるための開口部５１ａを有する導電性の前面側筐体５０とを備えている。
【００１２】
情報表示体１０は、例えば一対の透明基板間に液晶が封入されるとともに当該透明基板の表裏面に偏光板が各々貼り付けられた略矩形状の液晶表示パネルを適用することができる。また、情報表示体１０は、その表示領域１１に前記車両情報が表示されるものである。
【００１３】
回路基板２０は、例えばガラスエポキシ系基材に配線パターン（図示せず）が施された硬質配線基板からなり、例えば情報表示体１０の制御を行う制御部（図示せず）と、複数個の光源２１と、抵抗、コンデンサ等の回路部品（図示せず）とが前記配線パターンに導通接続されている。
【００１４】
光源２１は、例えば適宜色を発するチップ型発光ダイオードからなり、方向回路基板２０の一側面Ｐ１（つまり図１中、矢印Ｘ方向）に沿うように列状に複数個（例えば４つ）実装されている。なお、２２は、前面側筐体５０に備えられる後述する複数個（例えば４つ）の加締め部に対応する位置に各々設けられる細い長孔状の貫通孔部である。
【００１５】
ケース部材３０は、例えば白色系の合成樹脂材料によって形成された樹脂ケースを適用することができ、情報表示体１０及び導光部材４０を包囲するように設けられる枠状立壁部からなる周壁部３１と、導光部材４０に備えられる後述する導光本体部を保持する保持部３２とが一体形成された構成となっている。
【００１６】
そして、周壁部３１のうち、図１中、矢印Ｙ方向に沿った一対の周壁３３には、その両側に一対の係合突起３３ａが各々形成されている。なお、図１では右側に位置する周壁３３に係合突起３３ａが２つ形成された点のみ図示されているが、図１中、左側に位置する周壁３３にも係合突起３３ａが２つ形成されていることは言うまでもない。例えば、複数個（例えば４つ）の係合突起３３ａは、周壁３３から外側に張り出すように隆起形成される爪部（フック部）を適用することができる（図３参照）。
【００１７】
なお、３４は、導光部材４０に備えられる後述する受光部を配置するために設けられた略細長矩形状の孔部であり、この孔部３４は、光源２１に対応するケース部材３０箇所に開口形成されるものである。また、３５は周壁部３１の内壁に形成された載置面であり、情報表示体１０の背面側周縁が載置面３５上に載置されることで、情報表示体１０がケース部材３０によって支持される。
【００１８】
導光部材４０は、透光性合成樹脂材料にて形成され、情報表示体１０の背後に沿うように配置される略矩形状の導光本体部４１と、各光源２１と対向するように導光本体部４１に一体形成され、各光源２１から発せられる照明光を受光する受光部４２とを備えている。
【００１９】
この受光部４２は、矢印Ｘ方向に沿う導光本体部４１の一側壁部から各光源２１の発光面に向けて垂下するように曲げられた構成となっており、その真上には、受光部４２内に導入された照明光を導光本体部４１側に反射導光させる機能を有する曲面形状（もしくは傾斜面形状）からなる反射面４３が設けられている。
【００２０】
４４は、受光部４２及び反射面４３を通じて導光本体部４１内に反射導光された照明光を情報表示体１０側に出射するための平坦面からなる光出射面であり、この光出射面４４は、視認者Ｅ側を向く導光本体部４１の前面に設けられる。
【００２１】
前面側筐体５０は、金属材料（導電性材料）からなる板材を略箱型形状にプレス成形した導電性の金属フレームを適用することができ、情報表示体１０を保護する保護部材としての機能を有する。
【００２２】
この前面側筐体５０は、表示領域１１に対応する開口部５１ａを取り巻くように設けられる略枠状の前面壁部（基部）５１と、周壁部３１（一対の周壁３３）に形成された係合突起３３ａに係合可能に設けられる矩形係合孔（被係合部）５２ａを有する側壁部５２とを備え、この場合、側壁部５２は、矢印Ｙ方向に沿うように相対する一対の側壁として構成されている。
【００２３】
また、本例の場合、側壁部５２は、側壁部５２の背後側（視認者Ｅ側とは反対側）に位置し、回路基板２０を加締め固定可能とする加締め片５２ｂを有する加締め部５２ｃを備えている。この加締め部５２ｃは、側壁部５２の下端部から背後に向けて略「Ｌ」字状に延出形成され、その先端側（自由端部側）に加締め片５２ｂが設けられている。なお、加締め部５２ｃは、前記一対の側壁の両側において、４つの貫通孔部２２に各々対応するように、貫通孔部２２の形成個数と同数（つまり４つ）設けられている。
【００２４】
ここで、矩形係合孔５２ａと加締め部５２ｃとの位置関係に着目すると、加締め部５２ｃは、矩形係合孔５２ａの直下に設けられていることが望ましい。具体的には、加締め部５２ｃは、矩形係合孔５２ａの背後側（視認者Ｅ側とは反対側）であって、且つ、矩形係合孔５２ａから比較的離れていない矩形係合孔５２ａの直下に位置している。
【００２５】
以上の各部により車両用計器が構成されている。ここで、回路基板２０とケース部材３０と前面側筐体５０とで構成される三者の組み付け例を説明する。なお、当該三者の組み付け前に、載置面３５上に情報表示体１０が載置されているとともに保持部３２上に導光本体部４１（導光部材４０）が載置されているものとする。
【００２６】
前記三者の組み付け固定にあたっては、ここでの詳細図示は省略するが、まず、各光源２１と孔部３４（受光部４２）とが向かい合うように回路基板２０とケース部材３０とを位置合わせし、その後、この状態から例えばケース部材３０を回路基板２０側に平行移動させ、受光部４２が各光源２１と向かい合うように回路基板２０上にケース部材３０を載置する。
【００２７】
次に、各貫通孔部２２と各加締め部５２ｃとがそれぞれ向かい合うように前面側筐体５０と（ケース部材３０が載置された状態の）回路基板２０とを位置合わせする。そして、この状態から例えば前面側筐体５０を回路基板２０側に向けて平行移動させると、やがて図２に示すように各加締め部５２ｃが各貫通孔部２２を貫通して回路基板２０の背面側に突出する（飛び出る）とともに、図３に示すように各係合突起３３ａが各矩形係合孔５２ａにそれぞれ係合される。そして、最後に、図４に示すように回路基板２０の背面側に飛び出た各加締め部５２ｃの各加締め片５２ｂを加締める（内側に折り曲げる）ことで、前記三者（つまり車両用計器）の組み付け固定が完了する。
【００２８】
以上のように本実施形態では、前面側筐体５０は、周壁部３１（ケース部材３０）に形成された係合突起３３ａに係合可能に設けられる矩形係合孔５２ａを有する側壁部５２を備え、この側壁部５２は、側壁部５２の視認者Ｅ側とは反対側に位置し、回路基板２０を加締め固定可能とする加締め部５２ｃを備えているものである。
【００２９】
従って、係合突起３３ａと矩形係合孔５２ａとを利用してケース部材３０と前面側筐体５０とが固定（フック固定）されるとともに、加締め部５２ｃ（加締め片５２ｂ）を利用して前面側筐体５０と回路基板２０とが固定（加締め固定）される構成となり、前記三者を従来のように２つのネジを用いずに固定することができ、当該２つのネジを用いない分だけ車両用計器を構成する部品点数が削減され、コスト上昇を抑制することが可能となる。
【００３０】
また本実施形態では、加締め部５２ｃは、矩形係合孔５２ａの直下に設けられていることより前記フック固定が正しく行われていない場合、前記フック固定後に行われる前記加締め固定を行うことができない構成となる。換言すれば、前記フック固定が正しく行われている（係合突起３３ａが矩形係合孔５２ａに正しく係合されている）ときだけ、加締め部５２ｃを利用した前面側筐体５０の回路基板２０への加締め固定を行うことができる。
【００３１】
従って、前記三者を組み付け固定するにあたって、係合突起３３ａが矩形係合孔５２ａに正しく係合されているとき、加締め部５２ｃを利用した前面側筐体５０の回路基板２０への加締め固定が可能となるため、コスト上昇を避けながら固定信頼性の向上した車両用計器（表示装置）を提供することができる。
【００３２】
なお、本発明は、上述の実施形態及び図面によって限定されるものではない。本発明の要旨を変更しない範囲で、適宜、実施形態及び図面に変更（構成要素の削除も含む）を加えることが可能である。
【００３３】
例えば、上述した実施形態では、情報表示体１０が液晶表示パネルのごとき計器用ディスプレイからなる例について説明したが、例えば情報表示体１０を、指針（計器用指針）と、指針によって指示される目盛等の表示部を有する表示板（計器用表示板）とから主に構成されるアナログ式計器としてもよい。なお、アナログ式計器とする場合、指針は、指針を駆動するように回路基板２０に実装されるモータ（指針駆動手段）の回転軸に連結される。
【符号の説明】
【００３４】
１０    情報表示体
１１    表示領域
２０    回路基板
２１    光源
２２    貫通孔部
３０    ケース部材
３１    周壁部
３２    保持部
３３    一対の周壁
３３ａ  係合突起
４０    導光部材
５０    前面側筐体
５１    前面壁部（基部）
５１ａ  開口部
５２    側壁部
５２ａ  矩形係合孔（被係合部）
５２ｂ  加締め片
５２ｃ  加締め部
【図１】
2017134193.tif 000003
【図２】
2017134193.tif 000004
【図３】
2017134193.tif 000005
【図４】
2017134193.tif 000006